(57)【要約】【課題】簡易な構成により小型化を容易に図ることができるだけでなく、読み出しにおける利便性を向上させることができるＩＣタグ読取装置を提供すること。【解決手段】ＩＣタグと通信を行うＩＣタグ読取装置２であって、水平方向に延びる軸回りに回転可能に支持された回転体２６と、前記回転体２６の外周に設けられ、前記ＩＣタグを支持する少なくとも三つの支持部２７と、前記支持部２７によって支持されたＩＣタグと通信を行う通信手段とを備え、前記支持部２７が、前記ＩＣタグの支持を開始する支持開始位置と、前記ＩＣタグを支持し続ける保持位置と、前記ＩＣタグを解放する解放位置とに配されるように、前記回転体２６の周方向に所定の間隔を空けて配置されており、前記支持開始位置、前記保持位置及び前記解放位置の順に前記支持部が配されるように、前記回転体２６が回転することを特徴とする。【選択図】図１
2008123178.tif 000002
【特許請求の範囲】
【請求項１】
ＩＣタグと通信を行うＩＣタグ読取装置であって、
水平方向に延びる軸回りに回転可能に支持された回転体と、
前記回転体の外周に設けられ、前記ＩＣタグを支持する少なくとも三つの支持部と、
前記支持部によって支持されたＩＣタグと通信を行う通信手段とを備え、
前記支持部が、前記ＩＣタグの支持を開始する支持開始位置と、前記ＩＣタグを支持し続ける保持位置と、前記ＩＣタグを解放する解放位置とに配されるように、前記回転体の周方向に所定の間隔を空けて配置されており、
前記支持開始位置、前記保持位置及び前記解放位置の順に前記支持部が配されるように、前記回転体が回転することを特徴とするＩＣタグ読取装置。
【請求項２】
前記ＩＣタグが、環状に形成され、
前記支持部が、前記回転体の径方向外方に突出する突起部として形成されており、
前記ＩＣタグが、前記突起部に通されることによって支持されることを特徴とする請求項１に記載のＩＣタグ読取装置。
【請求項３】
前記突起部に通されたＩＣタグが外れないようにロックするロック機構を備えることを特徴とする請求項２に記載のＩＣタグ読取装置。
【請求項４】
前記ロック機構が、前記突起部の先端に設けられ、かつ、前記径方向に沿った閉位置と、前記径方向に直交する開位置との間で開閉可能な開閉部材を備えることを特徴とする請求項３に記載のＩＣタグ読取装置。
【請求項５】
前記突起部が前記解放位置に配されたことを検出する検出部と、
前記ロック機構によってロックされた状態の前記突起部が、前記検出部によって検出されると、前記ロック機構のロックを解除する制御部と
を備えることを特徴とする請求項３又は請求項４に記載のＩＣタグ読取装置。
【請求項６】
請求項１から請求項５のいずれか一項に記載のＩＣタグ読取装置と、
前記ＩＣタグ読取装置の出力に基づいて料金を計数する支払機と
を備えることを特徴とする精算機。
【発明の詳細な説明】
【技術分野】
【０００１】
本発明は、ＩＣタグと非接触で通信を行うＩＣタグ読取装置及び精算機に関する。
【背景技術】
【０００２】
従来より、種々の情報について非接触で通信を行うことができるＩＣタグが知られている。このＩＣタグは、情報を記憶する記憶部を有しており、この記憶部に記憶された情報を読み出すために、読取装置が利用されている（例えば、特許文献１参照。）。
これら読取装置の中には、上下に配された一対のベルトコンベアを備えたものが知られている。そして、この一対のベルトコンベアによってＩＣタグが上下から挟持されながら所定の読み出し位置まで移動し、そのＩＣタグの記憶部に記憶された情報が読み出された後に、ＩＣタグがベルトコンベアによって収容部などに移動するようになっている。
【０００３】
また、他の読取装置として、天面に開閉ステージを備えたものも知られている。この開閉ステージ上にＩＣタグを載置すると、ＩＣタグの記憶部に記憶された情報が読み出された後、開閉ステージが開いて、内部に設けられた収容部などにＩＣタグが収容されるようになっている。
【特許文献１】特開２０００−３４８１４８号公報
【発明の開示】
【発明が解決しようとする課題】
【０００４】
しかしながら、上記のようなベルトコンベアを備えた読取装置では、装置自体の構造が複雑かつ大掛かりなものになってしまうだけでなく、ＩＣタグがベルトコンベア内で詰まってしまうという問題がある。
また、上記のような開閉ステージを備えた読取装置では、スペースの利用効率を向上させることはできるものの、読み出す度にＩＣタグを収容部に収容するため、例えば読み出しトラブルなどが生じた場合に、前回読み出したＩＣタグを容易に判別することができないという問題がある。
【０００５】
本発明は、このような事情に鑑みてなされたものであって、簡易な構成により小型化を容易に図ることができるだけでなく、読み出しにおける利便性を向上させることができるＩＣタグ読取装置及び精算機を提供することを目的とする。
【課題を解決するための手段】
【０００６】
上記課題を解決するために、本発明は以下の手段を提供する。
本発明は、ＩＣタグと通信を行うＩＣタグ読取装置であって、水平方向に延びる軸回りに回転可能に支持された回転体と、前記回転体の外周に設けられ、前記ＩＣタグを支持する少なくとも三つの支持部と、前記支持部によって支持されたＩＣタグと通信を行う通信手段とを備え、前記支持部が、前記ＩＣタグの支持を開始する支持開始位置と、前記ＩＣタグを支持し続ける保持位置と、前記ＩＣタグを解放する解放位置とに配されるように、前記回転体の周方向に所定の間隔を空けて配置されており、前記支持開始位置、前記保持位置及び前記解放位置の順に前記支持部が配されるように、前記回転体が回転することを特徴とする。
【０００７】
この発明においては、支持部が支持開始位置に配された状態でＩＣタグを支持し、この支持部がＩＣタグを支持したまま保持位置に移動し、さらに、支持部が解放位置に移動してＩＣタグを解放する。
これにより、支持部を支持開始位置に配した状態で、前回の利用者のＩＣタグを保持位置において保持することができる。
【０００８】
また、本発明は、前記ＩＣタグが、環状に形成され、前記支持部が、前記回転体の径方向外方に突出する突起部として形成されており、前記ＩＣタグが、前記突起部に通されることによって支持されることを特徴とする。
【０００９】
この発明においては、突起部にＩＣタグが通され、これにより、ＩＣタグが支持される。
これにより、ＩＣタグに突起部を通すという簡単な操作で、ＩＣタグを容易に支持することができ、迅速に精算を行うことができる。
【００１０】
また、本発明は、前記突起部に通されたＩＣタグが外れないようにロックするロック機構を備えることを特徴とする。
【００１１】
この発明においては、ロック機構により、突起部に通されたＩＣタグが外れないようにロックされる。
これにより、ＩＣタグが突起部から抜け落ちることを防止することができ、それらＩＣタグを確実に支持することができる。
【００１２】
また、本発明は、前記ロック機構が、前記突起部の先端に設けられ、かつ、前記径方向に沿った閉位置と、前記径方向に直交する開位置との間で開閉可能な開閉部材を備えることを特徴とする。
【００１３】
この発明においては、開閉部材が閉位置に配された状態で、ＩＣタグに突起部が通され、この状態で、開閉部材が開位置に配されることにより、ＩＣタグが外れないようにロックされる。
これにより、ＩＣタグへの突起部の抜き差しを確実に行うことができる。
【００１４】
また、本発明は、前記突起部が前記解放位置に配されたことを検出する検出部と、前記ロック機構によってロックされた状態の前記突起部が、前記検出部によって検出されると、前記ロック機構のロックを解除する制御部とを備えることを特徴とする。
【００１５】
この発明においては、検出部によって、突起部が解放位置に配されたことが検出されると、制御部によって、ロック機構のロックが解除される。
これにより、ＩＣタグが突起部から抜け落ちることを防止するだけでなく、解放位置においてＩＣタグを確実に解放することができる。
【００１６】
また、本発明は、請求項１から請求項５のいずれか一項に記載のＩＣタグ読取装置と、前記ＩＣタグ読取装置の出力に基づいて料金を計数する支払機とを備えることを特徴とする。
【００１７】
この発明によれば、請求項１から請求項５のいずれか一項に記載のＩＣタグ読取装置と同様の効果を奏することができる。
【発明の効果】
【００１８】
本発明によれば、回転体を回転させることにより、支持部によって支持されたＩＣタグを、利用位置から保持位置、さらに下方位置へと順に移動させることができるため、簡易な構成により小型化を容易に図ることができるだけでなく、読み出しにおける利便性を向上させることができる。
【発明を実施するための最良の形態】
【００１９】
（実施形態１）
以下、本発明の第１の実施形態における精算機について、図面を参照して説明する。
図１は、本発明の第１の実施形態としての精算機と、この精算機に接続されるサーバとを示す構成図である。
精算機１は、例えば遊園地、展示場、ホールなどの各種施設の出入口に設置されるものであり、利用者による施設内での飲食や買い物など種々の取引によって生じた料金の支払いを出口で一括精算するためのものである。
また、サーバ４は、利用者の施設内での取引により生じた料金について、利用者ごとの料金情報として、取引ごとに記憶部２２に逐次記憶し、この記憶部２２に記憶された料金情報を、支払機３に対して出力するものである。
【００２０】
精算機１は、ＩＣタグ４４（図７に示す）の記憶部に記憶された情報を読み取る読取装置２と、料金を計数する支払機３とを備えている。
支払機３は、ケーブル１３を介してサーバ４に接続されている。そして、読取装置２によってＩＣタグ４４から読み出された利用者のＩＤ番号（識別情報）が、読取装置２からサーバ４に送信され、サーバ４はそのＩＤ番号に対応する料金情報を支払機３に対して出力するようになっている。
支払機３の前面には、利用者の料金情報や投入された金銭、釣銭などの情報を表示する表示部６が設けられている。表示部６の下方には、紙幣を投入するための紙幣投入部７と、貨幣を投入するための貨幣投入部８とが設けられている。さらに、これら紙幣投入部７及び貨幣投入部８の下方には、釣銭が排出される釣銭排出部９と、出口ゲートをオープンするための切符を排出する切符排出部１０とが設けられている。
【００２１】
支払機３は、図２に示すように、支払機３の処理全体を制御する制御部１４を備えている。制御部１４は、表示部６に接続されており、料金情報などを表示部６に表示する。また、制御部１４は、投入された料金を計数する計数部１８と、切符を発券する発券部１５とに接続されている。計数部１８は、紙幣投入部７及び貨幣投入部８を介して投入された紙幣及び貨幣を計数する。発券部１５は、不図示の印刷部などを備えており、制御部１４から出力される発券信号に基づいて、料金情報などを用紙に印刷し、その用紙を切断した後、切符排出部１０から切符として排出する。また、制御部１４は、外部機器と接続するためのＩ／Ｏ部１９に接続されている。Ｉ／Ｏ部１９は、ケーブル１３を介して、サーバ４に接続するためのものである。
【００２２】
また、読取装置２は、図３に示すように、矩形板状の基台２５を備えている。基台２５の上面には、基台２５に直交する方向に延びる連結部２４（図１に示す）が設けられている。連結部２４の先端には、連結部２４の長さ方向に直交する方向に延びる軸線Ｌを中心として回転可能に支持された円柱状の回転体２６が設けられている。すなわち、基台２５を水平面に設置することにより、軸線Ｌは水平方向を向き、回転体２６の外周面（外側面）が、鉛直軸と水平軸との２軸平面内で軸線Ｌを中心として回転するようになっている。
【００２３】
回転体２６の外周面には、回転体２６の径方向外方に突出する突起部（支持部）２７が三つ設けられている。突起部２７は、回転体２６の周方向に均等間隔を空けて配置されている。すなわち、周方向に隣り合う突起部２７同士の角度は１２０度になっている。この突起部２７は、利用者の所持する環状のＩＣタグ４４内を通され、そのＩＣタグ４４を支持するものである。
また、突起部２７ａが支持開始位置Ｓに配されると、突起部２７ｂは保持位置Ｈに配され、突起部２７ｃは解放位置Ｋに配されるようになっている。
【００２４】
支持開始位置Ｓは、突起部２７ａが水平方向に向けられた水平位置Ａ１から鉛直方向上方に向けられた鉛直上方位置Ｂ１の間の領域内に設定される。
なお、本実施形態では、支持開始位置Ｓは、水平位置Ａ１から３０度上方に向けられた位置に設定されている。
保持位置Ｈは、鉛直方向Ｂ１から、水平位置Ａ１とは反対側の水平位置Ａ２までの間の領域内に設定される。
なお、本実施形態では、保持位置Ｈは、鉛直上方位置Ｂ１から水平位置Ａ２にむけて６０度回転した位置（水平位置Ａ２から３０度上方に向けられた位置）に設定されている。
解放位置Ｋは、水平位置Ａ２を越えた位置から水平位置Ａ１の手前までの位置の間の領域内に設定される。
なお、本実施形態では、解放位置Ｋは、鉛直方向下方に向けられた鉛直下方位置Ｂ２と等しくなる位置に設定されている。
そして、回転体２６が回転することにより、突起部２７が、支持開始位置Ｓ、保持位置Ｈ、解放位置Ｋの順にループするようになっている。
【００２５】
また、回転体２６の内部には、読取装置２の処理全体を制御する制御部（通信手段）２８が設けられている。制御部２８には、サーバ４と通信を行うための通信部２９が接続されている。
また、制御部２８には、各突起部２７の近傍に設けられた受光部（検出部）３５に接続されている。受光部３５は、回転体２６の回転方向に対して各突起部２７の手前の位置に配置されている。受光部３５の受光面は、回転体２６の径方向外方に向けられている。これら受光部３５は、所定の光量以上の光を受けるとオン信号を出力するようになっている。
【００２６】
さらに、回転体２６の外周面の近傍には、回転体２６の外周面側に向けて光を照射する投光部３６ａ，３６ｂが設けられている。投光部３６ａは、鉛直上方位置Ｂ１上に配置されており、投光部３６ｂは、回転体２６の回転方向に対して鉛直下方位置Ｂ２の手前の位置に配置されている。
【００２７】
さらに、突起部２７の内部には、突起部２７の長さ方向に延びるアンテナ（通信手段）３７が設けられている。各アンテナ３７は、制御部２８に接続されている。
また、突起部２７の先端部には、一対の開閉部材（ロック機構）３８が設けられている。開閉部材３８は、図４及び図５に示すように、長部と短部とが直角に連結され平面視してＬ字状に形成されている。これら開閉部材３８は、それぞれの短部が外側に向けられて長部が対向して配置されている。開閉部材３８の交点部は、軸線Ｌに平行に延びる軸部４０が挿通されている。これにより、開閉部材３８は、突起部２７の長さ方向に向けられて突起部２７の先端部内に収容される閉位置Ｅ（図４に示す）と、突起部２７の延在方向に直交する方向に向けられて長尺部分の先端が突起部の外方に突出する開位置Ｆ（図５に示す）との間で開閉可能に支持されている。
【００２８】
また、開閉部材３８の近傍には、突起部２７の先端に向かうにつれて漸次離隔するように互いに傾斜して配置されたシリンダ（ロック機構）４１が設けられている。シリンダ４１の軸は、開閉部材３８の短部の隅部に連結されている。シリンダ４１は、不図示の電磁弁を介してエア供給部に連結されている。そして、電磁弁によって連結ポートが切り替えられることにより、シリンダ４１内の所定の空間にエアが供給されて、これによりシリンダ４１の軸が出没するようになっている。また、電磁弁は制御部２８に接続されている。
このような構成のもと、制御部２８によって電磁弁が制御され、シリンダ４１の軸を出没させることにより、開閉部材３８が開閉動作するようになっている。
【００２９】
次に、このように構成された本実施形態における精算機１の作用について説明する。
施設への入場に際し、利用者には環状のＩＣタグ４４が渡され、その利用者は手首などにＩＣタグ４４を装着する。そして、利用者は、施設内の各取引において現金を支払うことなく、装着したＩＣタグ４４によって仮精算を行う。すなわち、利用者が、取引現場の近傍に設置された仮精算装置の読取部にＩＣタグ４４をかざすと、仮精算装置がＩＣタグ４４の記憶部に記憶されたＩＤ番号（識別情報）を読み出し、そのＩＤ番号に対応付けて取引時の料金を料金情報としてサーバ４に送信する。サーバ４は、通信部２１を介して受信した料金情報をＩＤ番号ごとに対応付けて記憶部２２に記憶する。これにより、各利用者の料金情報が、各ＩＤ番号に対応付けられて、サーバ４の記憶部２２に記憶される。
【００３０】
利用者が施設を出る際には、施設内での仮精算に対して、実際に現金の支払を行う本精算を行ってもらう必要がある。そこで、図６に示すように、施設の出口ゲートＧの近傍に、本実施形態における精算機１が設置される。利用者は、軸線Ｌに直交する方向を向いて、支持開始位置Ｓに配された突起部２７の先端にＩＣタグ４４を配する。これにより、図７に示すように、突起部２７がＩＣタグ４４を挿通し、ＩＣタグ４４が支持される。このとき、利用者が個別に精算したいときは、一つの突起部２７ａに対してＩＣタグ４４を一つ配すればよい。また、例えば、家族などのように、複数の利用者で一括処理したい場合には、一つの突起部２７ａに対して、それら複数の利用者分のＩＣタグ４４を配することができる。
【００３１】
ＩＣタグ４４が突起部２７ａに支持されると、制御部２８は、アンテナ３７ａを介して、各ＩＣタグ４４の記憶部に記憶されたＩＤ番号を読み出す。そして、制御部２８は、通信部２９を介して、各ＩＤ番号をサーバ４に送信する。サーバ４は、通信部２１を介して、各ＩＤ番号を受信すると、各ＩＤ番号に対応する利用者の料金情報を記憶部２２から読み出して、それら料金情報を支払機３に対して出力する。
【００３２】
支払機３の制御部１４は、それら料金情報を読み出して、利用者ごとの個別の料金と合計料金とを表示部６に表示する。
利用者は、表示部６に表示された料金に基づいて、紙幣投入部７及び貨幣投入部８を介して、所定の現金を支払機３に投入する。制御部１４は、計数部１８を介して、紙幣及び貨幣を計数し、投入金額を表示部６に表示する。そして、制御部１４は、投入金額が合計料金以上になったときに、発券部１５を介して、それら料金情報を印刷して切符排出部１０から利用者分の枚数の切符を排出する。なお、投入金額が合計料金よりも多い場合には、制御部１４は、表示部６に釣銭情報を表示し、釣銭排出部９から所定額の釣銭を排出する。これによって、現金による本精算が完了する。
【００３３】
利用者は、切符排出部１０から排出された切符を受け取ると、図６に示すように、出口ゲートＧに移動し、切符投入口Ｔに切符を投入する。これにより、出口ゲートＧのゲートがオープンし、利用者が退場する。
【００３４】
ここで、ＩＣタグ４４が突起部２７ａに通されると、突起部２７ａは回転して鉛直上方位置Ｂ１に近づけられる。そのため、各ＩＣタグ４４は、自重により突起部２７ａの基端側に移動して互いに密接した状態になる。そして、突起部２７ａが鉛直上方位置Ｂ１に配され、さらに鉛直上方位置Ｂ１を越えると、図８に示すように、投光部３６ａと受光部３５ａとが互いに対向して配される。そのため、投光部３６ａから受光部３５ａに所定光量の光が照射され、これにより受光部３５ａからオン信号が出力される。
【００３５】
制御部２８は、そのオン信号を読み出し、突起部２７ａ内のシリンダ４１を駆動する電磁弁を所定のポートに切り替える。すると、エア供給部からシリンダ４１内の所定の空間にエアが供給されて、図４及び図５に示すように、シリンダ４１の軸がシリンダ４１内に没する方向に移動し、これにより、開閉部材３８が閉位置Ｅから開位置Ｆに配される。このとき、一方の開閉部材３８の先端から他方の開閉部材３８の先端までの距離寸法は、ＩＣタグ４４の内径寸法よりも大きくなり、これにより、ＩＣタグ４４が突起部２７ａから抜け落ちることが防止される。
【００３６】
さらに、回転体２６の回転により、突起部２７ａが保持位置Ｈに配されると、突起部２７ｂは解放位置Ｋに配され、突起部２７ｃは支持開始位置Ｓに配された状態になる。すなわち、次の利用者が突起部２７ｃにＩＣタグを配そうとするときに、前回の利用者のＩＣタグ４４は、保持位置Ｈに配されることになる。
それから、図９に示すように、突起部２７ａが、水平位置Ａ２を通過すると、突起部２７ａの先端が下方を向く。そのため、ＩＣタグ４４は、自重により突起部２７ａの先端に移動するが、開閉部材３８に当接することにより、突起部２７ａから抜け落ちることはない。それから、突起部２７ａが鉛直下方位置Ｂ２に配されると、図１０に示すように、投光部３６ｂと受光部３５ａとが互いに対向して配される。そのため、投光部３６ｂから受光部３５ａに所定光量の光が照射され、これにより受光部３５ａからオン信号が出力される。
【００３７】
制御部２８は、そのオン信号を読み出し、突起部２７ａ内のシリンダ４１を駆動する電磁弁を別のポートに切り替える。すると、エア供給部からシリンダ４１内の他の空間にエアが供給されて、図４及び図５に示すように、シリンダ４１の軸が突出する方向に移動し、これにより、開閉部材３８が開位置Ｆから閉位置Ｅに配される。そのため、ＩＣタグ４４が解放されて、図１０に示すように、自重により突起部２７ａの先端からＩＣタグ４４が抜け落ちていく。そして、ＩＣタグ４４は、回転体２６の下方に設けられた収容部４６に収容される。
【００３８】
以上より、本実施形態における精算機１によれば、次の利用者が突起部２７ｃにＩＣタグを配そうとするときに、前回の利用者のＩＣタグ４４を保持位置Ｈに配することができる。すなわち、次の利用者の本精算のとき、前回の利用者のＩＣタグ４４を収容部４６に収容することなく保持位置Ｈにおいて保持することができるので、前回の利用者のＩＣタグ４４を参照したいなどの事情が生じたとしても必要なＩＣタグ４４を簡単かつ迅速に得ることができる。また、突起部２７を軸線Ｌを中心として回転させることから、設置スペースの利用効率を向上させることができる。
そのため、精算機１によれば、簡易な構成により小型化を容易に図ることができるだけでなく、読み出しにおける利便性を向上させることができる。
【００３９】
また、ＩＣタグ４４に突起部２７を通すという簡単な操作で、ＩＣタグ４４を容易に支持することができ、迅速に本精算を行うことができる。
さらに、開閉部材３８が設けられていることから、ＩＣタグ４４が突起部から抜け落ちることを防止することができ、それらＩＣタグ４４を確実に支持することができる。
また、制御部２８によって開閉部材３８の開閉を制御することから、ＩＣタグ４４が抜け落ちることを防止するだけでなく、解放位置ＫにおいてＩＣタグ４４を確実に収容部４６に収容することができる。
【００４０】
なお、上記実施形態においては、突起部２７を三つ設けるとしたが、これに限ることはなく、少なくとも三つ設ければよく、それら設置数は適宜変更可能である。例えば、突起部２７を四つ、五つ及びそれ以上設けることにより、利用者の本精算の処理効率を向上させることができるだけでなく、前回、前々回の利用者のＩＣタグを保持することができる。
また、突起部２７の設置間隔を均等間隔としたが、これに限ることはなく、適宜変更可能である。
【００４１】
また、サーバ４を設置して、このサーバ４に料金情報を記憶させるとしたが、これに限ることはなく、サーバ４を設けなくてもよい。この場合、読取装置２と支払機３とをケーブルや無線などの手段を用いて接続し、ＩＣタグ４４の記憶部に、ＩＤ番号に対応させて料金情報を記憶させるようにすればよい。そして、読取装置２は、ＩＣタグ４４から料金情報を直接読み出して、支払機３に送信すればよい。
また、支払機３とサーバ４とをケーブル１３で接続するとしたが、これに限ることはなく、無線接続するようにしてもよい。
なお、本発明の技術範囲は上記の実施形態に限定されるものではなく、本発明の趣旨を逸脱しない範囲において、種々の変更を加えることが可能である。
【図面の簡単な説明】
【００４２】
【図１】本発明に係る精算機の第１の実施形態を示す図であって、サーバと読取装置とを無線接続した様子を示す構成図である。
【図２】図１の支払機を機能ごとに示すブロック図である。
【図３】図１の読取装置を拡大して示す正面図である。
【図４】図３の突起部の先端部を拡大して示す図であって、開閉部材が閉位置に配された様子を示す説明図である。
【図５】図３の突起部の先端部を拡大して示す図であって、開閉部材が開位置に配された様子を示す説明図である。
【図６】図１の精算機が施設の出口ゲートの近傍に設置された様子を示す図であって、利用者が本精算を完了して出口ゲートに向かう様子を示す説明図である。
【図７】図３の突起部にＩＣタグが配される様子を示す説明図である。
【図８】図７の回転体が回転し、開閉部材が開位置に配された様子を示す説明図である。
【図９】図８の回転体が回転し、ＩＣタグが自重により突起部の先端に移動する様子を示す説明図である。
【図１０】図９の回転体が回転し、ＩＣタグが解放されて収容部に収容される様子を示す説明図である。
【符号の説明】
【００４３】
１    精算機
２    読取装置
３    支払機
２６  回転体
２７  突起部（支持部）
２８  制御部（通信手段）
３５  受光部（検出部）
３７  アンテナ（通信手段）
３８  開閉部材（ロック機構）
４１  シリンダ（ロック機構）
４４  ＩＣタグ
Ｅ  閉位置
Ｆ  開位置
Ｈ  保持位置
Ｋ  解放位置
Ｓ  支持開始位置
【図１】
2008123178.tif 000003
【図２】
2008123178.tif 000004
【図３】
2008123178.tif 000005
【図４】
2008123178.tif 000006
【図５】
2008123178.tif 000007
【図６】
2008123178.tif 000008
【図７】
2008123178.tif 000009
【図８】
2008123178.tif 000010
【図９】
2008123178.tif 000011
【図１０】
2008123178.tif 000012